(57)【特許請求の範囲】
【請求項１】
気化器本体の吸気路を横切る円筒形の弁室に、絞り孔を有する絞り弁を回動かつ昇降可能に嵌挿し、前記弁室を閉鎖する蓋板を貫通する絞り弁の弁軸に絞り弁レバーを結合し、該絞り弁レバーと前記蓋板との間にカム機構を設け、気化器本体の底部に設けた燃料室から絞り弁の絞り孔へ突出する燃料供給管に、絞り弁に支持した燃料噴孔の開度を加減するニードルを嵌挿したロータリ絞り弁式気化器において、前記蓋板と一体のボス部に回動可能に支持した始動軸の端部にカム面を設け、前記始動軸の回動によりカム面が絞り弁レバーを押し上げるようにし、前記蓋板のボス部近傍にほこりを下方へ排出する通孔を設けたことを特徴とする、ロータリ絞り弁式気化器。
【請求項２】
前記通孔を前記始動軸の端部と前記蓋板との接触部に隣接する位置に設けた、請求項１に記載のロータリ絞り弁式気化器。
【発明の詳細な説明】
【０００１】
【発明の属する技術分野】
本発明は動力鋸、刈払い機などの携帯作業機に搭載される小型内燃機関のためのロータリ絞り弁式気化器に関するものである。
【０００２】
【従来の技術】
ロータリ絞り弁式気化器は気化器本体の蓋板から突出する弁軸に、絞り弁レバーが結合され、絞り弁レバーの回動により絞り弁の開度が増加し、同時にカム機構により絞り弁レバーが上昇し、絞り弁から燃料供給管へ嵌挿されるニードルも上昇し、燃料噴孔の開度が増加するようになつている。
【０００３】
機関の冷間始動時、濃い混合気を得るために、蓋板のボス部に支持した始動レバーを有する始動軸を回動すると、始動軸のカムにより絞り弁レバーが押し上げられ、燃料噴孔の開度が増加して燃料が増量される。
【０００４】
しかし、上述のロータリ絞り弁式気化器においては、長期使用の内に蓋板の上にほこりが付着し、特に始動軸を支持するボス部にほこりが浸入して潤滑油とともに固まると、始動軸の戻りが悪くなる。始動軸の戻りが悪くなると、暖機運転後に通常の運転状態になつても、絞り弁レバーが押し上げられたままになり、常に機関が高速運転状態に保たれて危険である。
【０００５】
【発明が解決しようとする課題】
本発明の課題は上述の問題に鑑み、機関の始動時に操作する始動レバーの戻り不良がないロータリ絞り弁式気化器を提供することにある。
【０００６】
【課題を解決するための手段】
上記課題を解決するために、本発明の構成は気化器本体の吸気路を横切る円筒形の弁室に、絞り孔を有する絞り弁を回動かつ昇降可能に嵌挿し、前記弁室を閉鎖する蓋板を貫通する絞り弁の弁軸に絞り弁レバーを結合し、該絞り弁レバーと前記蓋板との間にカム機構を設け、気化器本体の底部に設けた燃料室から絞り弁の絞り孔へ突出する燃料供給管に、絞り弁に支持した燃料噴孔の開度を加減するニードルを嵌挿したロータリ絞り弁式気化器において、前記蓋板と一体のボス部に回動可能に支持した始動軸の端部にカム面を設け、前記始動軸の回動によりカム面が絞り弁レバーを押し上げるようにし、前記蓋板のボス部近傍にほこりを下方へ排出する通孔を設けたことを特徴とする。
【０００７】
【発明の実施の形態】
本発明では始動軸を支持する蓋板のボス部近傍の下面に通孔を設け、蓋板の上に溜つたほこりが、通孔を経て下方へ排除されるようにする。
【０００８】
【実施例】
図１は本発明に係るロータリ絞り弁式気化器の正面断面図である。気化器本体５の前後の端部フランジに左右１対の通孔７が形成され、図示してない端部フランジには空気清浄器が突き合され、端部フランジ５ａは断熱管を介して機関の吸気ポートに突き合され、各通孔７を貫通する１対のボルトにより締結される。気化器本体５には紙面に対し垂直方向に延びる吸気路と直交する円筒形の弁室６が形成され、弁室６に絞り孔２を有する絞り弁１が回動可能にかつ昇降可能に嵌挿される。弁室６の上端を閉鎖する蓋板２１と絞り弁１との間に介装したばね２４の力により、絞り弁１は下方へ付勢され、かつアイドル位置へ回転付勢される。絞り弁１の弁軸１ａは蓋板２１を貫通し、上端に絞り弁レバー２２が結合される。絞り弁レバー２２の一端部に扇形のカム部２２ａが形成され、他端部に遠隔操作ケーブルのインナワイヤを結合するスイベル２３が回動可能に支持される。
【０００９】
カム機構はカム部２２ａの下面に設けた深さが次第に浅くなる周方向のカム溝２２ｂと、蓋板２１から上方へ突出しかつカム溝２２ｂに係合するフオロア４５とから構成される。気化器本体５の底部に設けた定圧燃料室２０が、逆止弁４１と燃料ジエツト４０を経て燃料供給管４へ連通される。燃料供給管４は基端部を弁室６の底壁に設けた取付孔８に嵌合され、上端部を絞り弁１の絞り孔２へ突出される。絞り弁１の上部中心に支持したニードル３が燃料供給管４に嵌挿され、燃料噴孔４ａの開度を加減するようになつている。
【００１０】
絞り弁レバー２２を回動すると、上述のカム機構により絞り弁１が回動しながら上昇する。したがつて、気化器本体５の吸気路に対する絞り弁１の絞り孔２の開度が増加し、同時に絞り弁１から垂下するニードル３が上昇して、燃料供給管４の燃料噴孔４ａの開度が増加し、絞り弁１の開度に対応した空気量と、燃料噴孔４ａの開度に対応した燃料量が絞り孔２へ吸引される。
【００１１】
気化器本体５の下面と中間壁体１０との間には膜９が挟持され、膜９の上側には脈動圧導入室３４が、膜９の下側にはポンプ室３５が形成される。脈動圧導入室３４へ例えば機関のクランク室の脈動圧が導入されると、膜９の上下動に伴い、燃料タンクの燃料が燃料入口管２５、フイルタ２６、図示してない逆止弁を有する通路を経てポンプ室３５へ吸引され、さらに図示してない逆止弁を有する通路、流入弁２８を経て定圧燃料室２０へ供給される。定圧燃料室２０は中間壁体１０と中間壁体１３との間に挟んだ膜１２の上側に区画され、膜１２の下側には大気室３７が区画される。中間壁体１０の軸２７に支持したレバー２９は、一端が流入弁２８に係止され、他端はばね３０の力により膜１２の中心突部１２ａへ押し付けられる。
【００１２】
定圧燃料室２０の燃料が少くなると、吸気負圧と大気圧を受ける膜１２がレバー２９をばね３０の力に抗して押し上げる。レバー２９が軸２７を中心として時計方向へ回動し、流入弁２８が開き、ポンプ室３５の燃料が流入弁２８を経て定圧燃料室２０へ補給される。定圧燃料室２０の燃料が増加すると、膜１２がばね３０の力により押し下げられ、レバー２９が軸２７を中心として反時計方向へ回動し、流入弁２８が閉じる。
【００１３】
機関の始動に先立ち、定圧燃料室２０の空気や燃料蒸気を排出するための吸引ポンプ１８が、中間壁体１３の下面に設けられる。吸引ポンプ１８はスポイド１７と複合逆止弁１６とからなり、スポイド１７の周縁部は環状の押え板１５により中間壁体１３の下面に固定され、茸型の複合逆止弁１６は中間壁体１３の中心の円筒形の出口室１９に嵌合される。スポイド１７を繰り返し押し潰すと、定圧燃料室２０の空気や燃料蒸気は通路１４を経て複合逆止弁１６の周縁部１６ａを押し開いてポンプ室１８ａへ吸引され、さらに扁平に押し潰された円筒軸部の先端部１６ｂを押し開いて出口室１９へ流出し、図示してない戻し管を経て燃料タンクへ戻される。こうして、定圧燃料室２０が負圧になると、燃料タンクの燃料が燃料入口管２５、フイルタ２６、図示してない逆止弁を有する通路を経てポンプ室３５へ吸引され、さらに図示してない逆止弁を有する通路、流入弁２８を経て定圧燃料室２０へ吸引される。
【００１４】
機関の始動時、濃い混合気を機関へ供給するために、始動レバー３１を有する始動軸３２が蓋板２１のボス部５３に嵌挿される。ボス部５３に固定したピン５１が始動軸３２の円弧状溝５０に係合され、始動軸３２が抜けるのを防止する。始動レバー３１とボス部５３との間にはばね３３が介装され、ばね３３の力により始動レバー３１は直立位置へ回転付勢される。図４に示すように、始動軸３２の端部のカム５２は平坦面５２ａと平坦なカム面５２ｂとを備えており、通常は平坦面５２ａが絞り弁レバー２２の下側へ突出し、絞り弁レバー２２の下面には接しない。始動レバー３１を側方へ倒すと、図５に示すように、始動軸３２の端部に形成したカム面５２ｂが、絞り弁レバー２２の下面に当接し、絞り弁レバー２２を押し上げる。
【００１５】
図２〜５に示すように、本発明によれば、通常の蓋板２１と始動軸３２の周面との接点Ｑに隣接して、蓋板２１の始動操作方向と反対側に、始動軸３２の軸方向に延びる細長い通孔５４が設けられる。
【００１６】
次に、本発明によるロータリ絞り弁式気化器の作動について説明する。機関の始動に際して、始動レバー３１を傾けて始動軸３２を矢印ｘ方向へ回動すると、図５に示すように、始動軸３２の端部のカム面５２ｂが絞り弁レバー２２の下面に接して押し上げる。絞り弁１の上部中心から垂下するニードル３が上昇し、燃料供給管４の燃料噴孔４ａの開度が増加し、燃料量が増加する。
【００１７】
暖機運転完了後に、絞り弁レバー２２を図３の矢印ｙ方向へ回動すると、始動軸３２の端部のカム面５２ｂが、絞り弁レバー２２の側縁部から外れ、ばね３３の力により始動レバー３１が初期の姿勢に戻される。この時、始動軸３２の周面と平坦面５２ａとが交差する角部Ｐが、通孔５４を通過するので、ほこりや油が通孔５４へ掻き落される。したがつて、長期間にわたりほこりや油が蓋板２１、カム面５２ｂ、絞り弁レバー２２の下面などにこびり付くことがなく、始動軸３２の戻りが妨げられることがない。
【００１８】
【発明の効果】
本発明は前述のように、気化器本体の吸気路を横切る円筒形の弁室に、絞り孔を有する絞り弁を回動かつ昇降可能に嵌挿し、前記弁室を閉鎖する蓋板を貫通する絞り弁の弁軸に絞り弁レバーを結合し、該絞り弁レバーと前記蓋板との間にカム機構を設け、気化器本体の底部に設けた燃料室から絞り弁の絞り孔へ突出する燃料供給管に、絞り弁に支持した燃料噴孔の開度を加減するニードルを嵌挿したロータリ絞り弁式気化器において、前記蓋板と一体のボス部に回動可能に支持した始動軸の端部にカム面を設け、前記始動軸の回動によりカム面が絞り弁レバーを押し上げるようにし、前記蓋板のボス部近傍にほこりを下方へ排出する通孔を設けたものであり、始動レバーの操作ごとに、始動軸の端部のカムにより蓋板のほこりが蓋板の通孔へ掻き落されるので、長期間にわたりほこりや油がこびり付くことがなく、始動軸の戻り不良が生じることはない。
【図面の簡単な説明】
【図１】本発明に係るロータリ絞り弁式気化器の正面断面図である。
【図２】同ロータリ絞り弁式気化器の蓋板の底面断面図である。
【図３】同ロータリ絞り弁式気化器の要部を示す斜視図である。
【図４】同ロータリ絞り弁式気化器の要部を示す側面断面図である。
【図５】同ロータリ絞り弁式気化器の要部を示す側面断面図である。
【符号の説明】
１：絞り弁  １ａ：弁軸  ２：絞り孔  ３：ニードル  ４：燃料供給管  ４ａ：燃料噴孔  ５：気化器本体  ６：弁室  ９：膜  １０：中間壁体  １２：膜  １３：中間壁板  １６：複合逆止弁  １７：スポイド  １８：吸引ポンプ  １８ａ：ポンプ室  １９：出口室  ２０：定圧燃料室  ２１：蓋板  ２２：絞り弁レバー  ２２ａ：カム部  ２２ｂ：カム溝  ２３：スイベル  ２５：燃料入口管  ２７：軸  ２８：流入弁  ２９：レバー  ３１：始動レバー  ３２：始動軸  ３３：ばね  ３４：脈動圧導入室  ３５：ポンプ室  ３７：大気室  ４０：燃料ジエツト  ４１：逆止弁  ４５：フオロア  ５０：円弧状溝  ５１：ピン  ５２：カム  ５２ａ：平坦面  ５２ｂ：カム面  ５３：ボス部  ５４：通孔
【図１】
0004024511.tif 000002
【図２】
0004024511.tif 000003
【図３】
0004024511.tif 000004
【図４】
0004024511.tif 000005
【図５】
0004024511.tif 000006